(57)【要約】【課題】  手の力を鍛え、腹部を引き締め、背中をマッサージする効果を兼ね揃えたトレーニング器具を提供する。【解決手段】  メインフレーム１と、シートパッド２と、グリップ３と、ローラー機構４とを含み、メインフレーム１は足を置くための足置き１１を有し、足置き１１から上向きに支持フレーム１２が設置されたトレーニング器具である。支持フレーム１２上方は、足置き１１と高度差を有し、シートパッド２はメインフレーム１の支持フレーム１２上方の位置に設置されている。また、ローラー機構４はローラーフレーム４１とローラー４２とを含み、ローラーフレーム４１はメインフレーム１の支持フレーム１２上に固設され、シートパッド２に対して後方の位置に設けてある。また、ローラー４２をローラーフレーム４１上に設け、ローラーフレーム４１に対して回転可能としている。【選択図】  図１
0003147728.tif 000002
【実用新案登録請求の範囲】
【請求項１】
足を置くための足置きを有し、足置きから上向きに支持フレームが設置され、該支持フレーム上方は足置きと高度差を有するメインフレームと、メインフレームの支持フレーム上方の位置に設置されたシートパッドと、メインフレーム上に固設され、手で握ることができる握持部を有するグリップと、ローラーフレームおよび少なくとも１つのローラーを含み、該ローラーフレームは、メインフレームの支持フレーム上に固設され、シートパッドに対して後方の位置に設けてあり、また、ローラーをローラーフレーム上に設け、ローラーフレームに対して回転させることができるローラー機構とを備えて構成され、使用者がシートパッド上に座って腹筋運動を行ない、または身体をローラーによって支持し、メインフレームに対して前後の方向に移動させて運動を行なうことができるようにしたことを特徴とするトレーニング器具。
【請求項２】
前記ローラーフレームは、接合板が両側に設置してあり、２つの接合板の間に前記ローラーを収納することができ、かつ接合板に接合穴が設置してあり、また、ローラーは、軟質パッドと、硬質軸管と、２つの軸ブロックとを含み、該パッドの中央には通し穴を有し、また、軸管は、パッドの伸縮性を介し、パッドの通し穴内を貫通し、通し穴が軸管を締め付け、軸管と連動できるようにし、また、２つの軸ブロックは、中央に軸穴を有し、かつ２つの軸ブロックの外縁は、それぞれ軸管両端の内壁と連動して接合し、組み立て後に、ローラーをローラーフレームの２つの接合板の間に設けることができ、接合部材を接合板の接合穴と軸ブロックの軸穴とに通すことによって接合し、ローラーをローラーフレームに対して回転させることができるようにしたことを特徴とする請求項１に記載のトレーニング器具。
【請求項３】
前記シートパッド上にローラーを設置し、使用者が横に移動して運動するときに、臀部をローラーに直接乗せ、前記ローラー機構およびシートパッドのローラーを支持点として支持し、さらに手に力を入れながら背中を前記メインフレームに対して前後の方向に移動させ、ローラーがそれに合わせて回転することができることを特徴とする請求項１に記載のトレーニング器具。
【請求項４】
前記シートパッド上に滑動機構を設置し、使用者が横に移動して運動するときに、臀部をシートパッド上に直接乗せ、前記ローラーおよびシートパッドを支持点として支持し、さらに手に力を入れながら背中を前記メインフレームに対して前後の方向に移動させ、ローラーがそれに合わせて回転することができると同時に、シートパッドがメインフレームに対して前後に移動することができることを特徴とする請求項１に記載のトレーニング器具。
【請求項５】
前記滑動機構は、カバーシートと、ローラーとを有し、該カバーシートは、前記メインフレームの前記支持フレーム上に被せ、また、ローラーは、軸棒によってカバーシート上に設けられ、ローラーを支持フレーム上で回転させることができるようにし、前記シートパッドをメインフレームに対して移動できるようにしたことを特徴とする請求項４に記載のトレーニング器具。
【請求項６】
前記メインフレーム後方に、さらにバックフレームと、弾性部材とを装着し、該バックフレームは、メインフレームと枢設し、弾性部材の両端は、それぞれメインフレームおよびバックフレームと接合し、また、バックフレーム上方にローラーを設置し、バックフレームを後ろに傾けたときに弾性部材を引き伸ばすことができ、バックフレームを弾性部材の弾力によって元に戻すことができ、かつ使用者が身体を後ろに傾けたときに、臀部を上にあげ、メインフレーム上のローラーおよびバックフレーム上のローラーによって身体を同時に多くの点で支持して、往復の横に移動する運動を行なうことができるようにしたことを特徴とする請求項１に記載のトレーニング器具。
【考案の詳細な説明】
【技術分野】
【０００１】
本考案は、トレーニング器具に関し、主に腹筋およびメインフレームに対して前後方に移動する運動が可能なトレーニング器具に関するものである。
【背景技術】
【０００２】
公知のトレーニング器具は、多種の異なる型式を有する。図１５に示すものは、公知の腹筋運動トレーニング器具の構造の１つであり、主にメインフレーム１‘と、ベンチ台２‘とを含み、メインフレーム１‘前方には足を掛けることができる足掛けパッド１１‘が設置され、ベンチ台２‘を支持可能なサポートフレーム１２‘が設置されている。また、ベンチ台２‘はサポートフレーム１２‘上に設置され、使用者はベンチ台２‘上に横になり、足を足掛けパッド１１‘に掛けて腹筋運動を行なうことができる。
【考案の開示】
【考案が解決しようとする課題】
【０００３】
しかし、前記構造では、腹筋運動しか行なうことができず、他の運動またはマッサージを行なうことはできず、機能は理想的なものではない。
【課題を解決するための手段】
【０００４】
本考案は、メインフレームと、シートパッドと、グリップと、ローラー機構とを含み、前記メインフレームは足を置くための足置きを有し、足置きから上向きに支持フレームが設置されている。前記支持フレーム上方は、足置きと適切な高度差を有している。また、シートパッドは、メインフレームの支持フレーム上方の位置に設置されている。また、グリップは、メインフレーム上に固設され、両手で握ることができる握持部を両側に有する。また、ローラー機構は、ローラーフレームと、少なくとも１つのローラーとを含み、前記ローラーフレームは、メインフレームの支持フレーム上に固設され、シートパッドに対して後方の位置に設けてある。また、接合板が両側に設置してあり、前記２つの接合板の間にローラーを収納することができる。また、接合板に接合穴が設置してある。また、ローラーは、軟質パッドと、硬質軸管と、２つの軸ブロックとを含み、前記パッドの中央には通し穴を有する。また、軸管は、金属またはその他の硬質材料製であり、パッドの伸縮性を介し、パッドの通し穴内を貫通し、通し穴が軸管を締め付け、軸管と連動できるようにする。また、２つの軸ブロックは、軸受とすることができ、中央に軸穴を有し、かつ２つの軸ブロックの外縁は、それぞれ軸管両端の内壁と連動して固接する。組み立て後に、ローラーをローラーフレームの２つの接合板の間に設けることができ、接合部材を接合板の接合穴と軸ブロックの軸穴とに通すことによって接合し、ローラーをローラーフレームに対して回転させることができるようにする。
【０００５】
本考案の前記メインフレーム後方には、さらにバックフレームと、弾性部材とを装着することができる。前記バックフレームは、メインフレームと枢設し、弾性部材の両端は、それぞれメインフレームおよびバックフレームと接合する。また、バックフレーム上方にローラーを設置し、バックフレームを後ろに傾けたときに弾性部材を引き伸ばすことができ、バックフレームを弾性部材の弾力によって元に戻すことができる。
【考案の効果】
【０００６】
よって、本考案の上記段落番号［０００４］の構成により、使用者は、シートパッド上に座り、両手でグリップの握持部を握り、身体を後ろに傾けたときに背中をローラーにもたげることができ、かつ手に力を入れて起き上がり、腹筋運動を行なうことができる。また、使用者が身体を後ろに傾けたときに、臀部を上にあげ、ローラーを支持点として身体を支持してから、手に力を入れながら背中をメインフレームに対して前後の方向に移動させると同時に、ローラーがそれに合わせて回転可能である。これによって、手の力を鍛え、腹部を引き締め、背中をマッサージする効果をもたせることができ、本考案に二重の運動およびマッサージ機能をもたせることができる。
【０００７】
また、本考案の上記段落番号［０００５］の構成により、使用者は、シートパッド上に座り、身体を後ろに傾けたときに、背中でバックフレームを後ろに押して移動させることができる。バックフレームのローラーは、背中をマッサージすることができ、かつ弾性部材が戻ろうとする弾力の助けを借りて身体を起こし、腹筋運動を繰り返し行なうことができる。また、身体を後ろに傾けたときに、臀部を上にあげ、メインフレーム上のローラーおよびバックフレーム上のローラーによって身体を同時に支持することができる。さらに、手に力を入れ、背中をメインフレームに対して前後に移動させると同時に、ローラーがそれに合わせて回転可能である。これによって、手の力を鍛え、腹部を引き締め、背中をマッサージする効果をもたせることができ、多くの点で支持するため、力を比較的入れずに操作できる快適さをもたせることができる。
【考案を実施するための最良の形態】
【０００８】
図１〜４に示すように、本考案の第１実施例は、メインフレーム１と、シートパッド２と、グリップ３と、ローラー機構４とを含み、メインフレーム１は、足を置くための足置き１１を有し、足置き１１から上向きに支持フレーム１２が設置されている。支持フレーム１２上方は、足置き１１と適切な高度差を有している。
【０００９】
前記シートパッド２は、前記メインフレーム１の前記支持フレーム１２上方の位置に設置されている。
【００１０】
前記グリップ３は、前記メインフレーム１上に固設され、両側には両手で握ることができる握持部３１を有す。
【００１１】
前記ローラー機構４は、ローラーフレーム４１と、２つの対称構造を有するローラー４２とを含み、ローラーフレーム４１は、前記メインフレーム１の前記支持フレーム１２上に固設され、前記シートパッド２に対して後方の位置に設けてある。また、接合板４１１が両側に設置してあり、２つの接合板４１１の間にローラー４２を収容することができる。また、接合板４１１に接合穴４１２が設置してある。また、ローラー４２は、軟質パッド４２１と、硬質軸管４２２と、２つの軸ブロック４２３とを含み、パッド４２１の中央には通し穴４２１１を有する。また、軸管４２２は、金属またはその他の硬質材料製であり、パッド４２１の伸縮性を介し、パッド４２１の通し穴４２１１内を貫通し、通し穴４２１１が軸管４２２を締め付け、軸管４２２と連動できるようにする。また、２つの軸ブロック４２３は、軸受とすることができ、中央に軸穴４２３１を有し、かつ２つの軸ブロック４２３の外縁は、それぞれ軸管４２２両端の内壁に固接する。組み立て後に、ローラー４２をローラーフレーム４１の２つの接合板４１１の間に設けることができ、接合部材４２４を接合板４１１の接合穴４１２と軸ブロック４２３の軸穴４２３１とに通すことによって接合し、ローラー４２をローラーフレーム４１に対して回転させることができるようにする。
【００１２】
図５に示すように、本考案によって、使用者は、前記シートパッド２上に座り、両手で前記グリップ３の握持部３１を握り、身体を後ろに傾けたときに背中を前記ローラー４２にもたげることができ、かつ手に力を入れながら起き上がり、腹筋運動を行なうことができる。
【００１３】
図６に示すように、使用者が身体を後ろに傾けたときに、臀部を上にあげ（図において、臀部と前記シートパッド２とは、間隔ａを有する）、前記ローラー４２を支持点として身体を支持してから、手に力を入れながら背中を前記メインフレーム１に対して前後に横に移動させると同時に、ローラー４２がそれに合わせて回転可能である。これによって、手の力を鍛え、腹部を引き締め、背中をマッサージする効果をもたせることができ、本考案に二重の運動およびマッサージ機能をもたせることができる。
【００１４】
本考案のローラー機構は、その他の構造型態を有することもできる。図１、図７に示すように、本考案のローラー機構５は、前記ローラー機構４にほぼ対応し、ローラーフレーム５１と、ローラー５２とを有する。ローラーフレーム５１は、接合板５１１を両側に有し、接合板５１１に軸穴５１２が設置してある。また、ローラー５２は、軟質パッド５２１と、硬質軸管５２２とを有し、軸管５２２はパッド５２１の通し穴５２１１内に通し、パッド５２１と連動する。また、軸管５２２の両端は軸穴５１２を貫通し、軸管５２をローラーフレーム５１に対して回転させることができるようにする。ローラー機構５は、ローラー機構４に類似した機能をもたせることができる。
【００１５】
図１、図８に示すように、本考案のローラー機構６は、前記ローラー機構４にほぼ対応し、ローラーフレーム６１と、ローラー６２とを有する。ローラーフレーム６１は、接合板６１１と、接合穴６１２とを両側に有する。また、ローラー６２は、パッド６２１と、軸管６２２と、軸ブロック６２３と、軸棒６２４と、ナット６２５とを有する。軸棒６２４は軸管６２２を貫通し、両端は接合穴６１２を貫通し、ナット６２５により接合する。ローラー６２をローラーフレーム６１に対して回転させることができるようにし、ローラー機構６にローラー機構４に類似した機能をもたせることができるようにする。
【００１６】
図９に示すように、本考案の第２実施例は、前記シートパッド２上にローラー２１を設置し、使用者が横に移動して運動するときに、臀部を上にあげる必要がなく、臀部をローラー２１上に直接乗せる。横に移動して運動するときに、ローラー４２およびローラー２１を支持点として支持することができ、さらに手に力を入れながら背中をメインフレーム１に対して前後に横に移動させると、ローラー４２およびローラー２１がそれに合わせて回転可能である。これによって、手の力を鍛え、腹部を引き締め、マッサージする効果をもたせることができ、前記第２実施例は第１実施例に比べ、横に移動する運動の力を楽にする効果を有する。
【００１７】
図１０〜図１１に示すように、本考案の第３実施例は、前記シートパッド２に滑動機構２２を設置し、滑動機構２２は、カバーシート２２１と、ローラー２２２とを有する。カバーシート２２１は、メインフレーム１の支持フレーム１２上に被せる。また、ローラー２２２は、軸棒によってカバーシート２２１上に設けられ、ローラー２２２を支持フレーム１２上で回転させることができるようにし、シートパッド２をメインフレーム１に対して移動できるようにする。これによって、使用者が横に移動して運動するときに、臀部を上にあげる必要がなく、臀部をシートパッド２上に直接乗せる。横に移動して運動するときに、ローラー４２およびシートパッド２を支持点として支持することができ、さらに手に力を入れながら背中をメインフレーム１に対して前後に横に移動させると、ローラー４２が対応して回転することができると同時に、シートパッド２がメインフレーム１に対して前後に移動することができる。これによって、手に力を鍛え、腹部を引き締め、マッサージする効果をもたせることができ、前記第３実施例は第１実施例に比べ、横に移動する運動の力を楽にする効果を有する。
【００１８】
図１２に示すように、本考案の第４実施例のメインフレーム１後方には、さらにバックフレーム７と、弾性部材８とを装着することができる。バックフレーム７は、メインフレーム１と枢設し、弾性部材８の両端は、それぞれメインフレーム１およびバックフレーム７と接合する。また、バックフレーム７上方にローラー７１を設置し、バックフレーム７を後ろに傾けたときに弾性部材８を引き伸ばすことができ、バックフレーム７を弾性部材８の弾力によって元に戻すことができる。
【００１９】
図１３に示すように、使用者は、前記シートパッド２上に座り、身体を後ろに傾けたときに、背中で前記バックフレーム７を後ろに押して移動させることができる。バックフレーム７の前記ローラー７１は、背中をマッサージすることができ、かつ前記弾性部材８が戻ろうとする弾力の助けを借りて身体を起こし、腹筋運動を繰り返し行なうことができる。
【００２０】
図１４に示すように、本考案は、身体を後ろに傾けたときに、臀部を上にあげ（図において、臀部と前記シートパッド２とは、間隔ｂを有する）、前記メインフレーム１上の前記ローラー機構４の前記ローラー４２および前記バックフレーム７上の前記ローラー７１によって身体を同時に支持することができる。さらに、手に力を入れ、背中をメインフレーム１に対して前後に移動させると同時に、ローラー４２、７１がそれに合わせて回転可能である。これによって、手の力を鍛え、腹部を引き締め、背中をマッサージする効果をもたせることができ、多くの点で支持するため、力を比較的入れずに操作できる快適さをもたせることができる。
【００２１】
本考案の第４実施例のシートパッドは、前記第２実施例のローラーまたは第３実施例の滑動機構を設置することもできる。前記実施例は本考案の例でしかなく、本考案を制限するものではなく、本考案の主旨に基づく同等の変更は、本考案の範疇内に属す。
【図面の簡単な説明】
【００２２】
【図１】本考案の第１実施例の分解図である。
【図２】本考案の第１実施例の組立図である。
【図３】本考案の第１実施例のローラー機構の組立断面図である。
【図４】本考案の第１実施例のローラー機構の組立断面図である。
【図５】本考案の第１実施例の腹筋運動の概要図である。
【図６】本考案の第１実施例の身体を横に移動させる動作の概要図である。
【図７】本考案のもう１つのローラー機構の組立断面図である。
【図８】本考案のさらにもう１つのローラー機構の組立断面図である。
【図９】本考案の第２実施例のシートパッドにローラーを設置した動作の概要図である。
【図１０】本考案の第３実施例のシートパッドに滑動機構を設置した動作の概要図である。
【図１１】本考案の第３実施例のシートパッドに滑動機構を設置した組立断面図である。
【図１２】本考案の第４実施例のメインフレームにバックフレームと弾性部材を設置した概要図である。
【図１３】本考案の第４実施例のメインフレームにバックフレームと弾性部材を設置し腹筋運動を行なう概要図である。
【図１４】本考案の第４実施例のメインフレームにバックフレームと弾性部材を設置し身体を横に移動させる動作の概要図である。
【図１５】公知の腹筋運動トレーニング器具の概要図である。
【符号の説明】
【００２３】
１  メインフレーム
１１  足置き
１２  支持フレーム
２  シートパッド
２１  ローラー
２２  滑動機構
２２１  カバーシート
２２２  ローラー
３  グリップ
３１  握持部
４  ローラー機構
４１  ローラーフレーム
４１１  接合板
４１２  接合穴
４２  ローラー
４２１  パッド
４２１１  通し穴
４２２  軸管
４２３  軸ブロック
４２３１  軸穴
４２４  接合部材
５  ローラー機構
５１  ローラーフレーム
５１１  接合板
５１２  軸穴
５２  ローラー
５２１  パッド
５２１１  通し穴
５２２  軸管
６  ローラー機構
６１  ローラーフレーム
６１１  接合板
６１２  接合穴
６２  ローラー
６２１  パッド
６２２  軸管
６２３  軸ブロック
６２４  軸棒
６２５  ナット
７  バックフレーム
７１  ローラー
８  弾性部材
【図１】
0003147728.tif 000003
【図２】
0003147728.tif 000004
【図３】
0003147728.tif 000005
【図４】
0003147728.tif 000006
【図５】
0003147728.tif 000007
【図６】
0003147728.tif 000008
【図７】
0003147728.tif 000009
【図８】
0003147728.tif 000010
【図９】
0003147728.tif 000011
【図１０】
0003147728.tif 000012
【図１１】
0003147728.tif 000013
【図１２】
0003147728.tif 000014
【図１３】
0003147728.tif 000015
【図１４】
0003147728.tif 000016
【図１５】
0003147728.tif 000017